(57)【要約】本願は空調室内機及び空気調和機を開示し、このうち空調室内機は、筐体と外気導入部材とシールアセンブリとを含み、筐体がパネルフレームとパネルフレームに取り付けられたパネルとを含み、パネルに第１外気導入口が設けられており、パネルフレームに第１外気導入口の位置に対応する第２外気導入口が設けられる。外気導入部材は、筐体内に取り付けられ、外気導入部材の風路が第２外気導入口に連通する。シールアセンブリは、第２外気導入口に設けられ、パネルフレームと外気導入部材との間の隙間及び／又はパネルフレームとパネルとの間の隙間を密封するように構成される。【選択図】  図４
2021517626.tif 000002
【特許請求の範囲】
【請求項１】
パネルフレームとパネルとを含み、前記パネルには第１外気導入口が設けられ、前記パネルフレームには前記第１外気導入口の位置に対応する第２外気導入口が設けられた筐体と、
前記筐体内に取り付けられ、その風路が前記第２外気導入口に連通する外気導入部材と、
前記第２外気導入口に設けられ、前記パネルフレームと前記外気導入部材との間の隙間及び／又は前記パネルフレームと前記パネルとの間の隙間を密封するように構成されるシールアセンブリと、
を含む、空調室内機。
【請求項２】
前記第１外気導入口は、１つの開口又は複数の微細孔で構成される、請求項１に記載の空調室内機。
【請求項３】
前記シールアセンブリは、前記パネルフレームと前記外気導入部材との間に介在する第１シールリングを含む、請求項１に記載の空調室内機。
【請求項４】
前記シールアセンブリは、前記パネルフレームと前記パネルとの間に介在する第２シールリングを含む、請求項１に記載の空調室内機。
【請求項５】
前記シールアセンブリは、第１シールリングと、第２シールリングと、前記第１シールリングの一端及び前記第２シールリングの一端とを接続する第３シールリングとを含み、
前記第１シールリング、前記第２シールリング及び前記第３シールリングで囲んで開放スロットを形成し、前記パネルフレームの前記第２外気導入口に対応するエッジが前記開放スロット内に嵌め込まれ、
前記第１シールリングは、前記外気導入部材に密着し、前記第２シールリングは前記パネルに密着する、請求項１に記載の空調室内機。
【請求項６】
前記第１シールリング、前記第２シールリング、前記第３シールリングは、一体成形される、請求項５に記載の空調室内機。
【請求項７】
前記第１シールリングの前記外気導入部材に近い側に第１取付用突起が設けられ、前記外気導入部材の前記第１取付用突起に対応する位置に第１凹溝が設けられ、前記第１取付用突起は、前記第１凹溝内に嵌め込まれる、請求項５に記載の空調室内機。
【請求項８】
前記第１取付用突起は、傾斜するように設けられる、請求項７に記載の空調室内機。
【請求項９】
前記第２シールリングの前記パネルに近い側に第２取付用突起が設けられ、前記パネルの前記第２取付用突起に対応する位置に第２凹溝が設けられ、前記第２取付用突起は、前記第２凹溝内に嵌め込まれる、請求項７に記載の空調室内機。
【請求項１０】
前記第２取付用突起は、傾斜するように設けられる、請求項９に記載の空調室内機。
【請求項１１】
前記第２シールリングの前記パネルフレームに近い側に位置制限溝が設けられ、前記パネルフレームの前記位置制限溝に対応する位置に前記位置制限溝と嵌合する位置制限突起が設けられる、請求項９に記載の空調室内機。
【請求項１２】
前記位置制限突起及び前記位置制限溝の断面形状は、矩形、燕尾形又はＶ字形とすることができる、請求項１１に記載の空調室内機。
【請求項１３】
前記第１シールリングの前記第３シールリングから離れた一端にガイド部が設けられ、前記ガイド部は前記第３シールリングから離れた方向から前記外気導入部材に向かって傾斜して配置される、請求項５に記載の空調室内機。
【請求項１４】
前記外気導入部材は外気導入用ハウジングを含み、前記外気導入用ハウジングの少なくとも１つの内壁面が前記パネルフレームから前記パネル側に向かって傾斜して配置され、かつ前記内壁面と前記内壁面に対向する壁面との間の距離が前記パネルフレームから前記パネル側に向かって徐々に大きくなり、
前記第３シールリングの前記内壁面に対応する側面は、傾斜して配置され、前記側面と前記内壁面の傾斜方向が一致する、請求項５に記載の空調室内機。
【請求項１５】
前記外気導入用ハウジングは、外気導入グリルを含む、請求項１４に記載の空調室内機。
【請求項１６】
前記外気導入部材は、外気導入用ハウジングと外気導入風路と前記外気導入用ハウジング内に設けられたインペラとを含み、前記外気導入風路と前記空調室内機の風路は互いに独立して設けられ、前記外気導入風路は吸込口と吹出口とを含み、前記吸込口が室外に連通し、前記吹出口が前記第２外気導入口に連通する、請求項１に記載の空調室内機。
【請求項１７】
前記パネルは、パネル本体と、前記パネル本体と接続する外気導入吹出パネルとを含み、前記外気導入吹出パネルが前記外気導入部材に対応して設けられ、前記第１外気導入口が前記外気導入吹出パネルに設けられる、請求項１に記載の空調室内機。
【請求項１８】
前記外気導入吹出パネルは、前記パネル本体と着脱可能に連結され、又は、前記外気導入吹出パネルは、回転可能に前記パネル本体に取り付けられる、請求項１７に記載の空調室内機。
【請求項１９】
前記空調室内機は、床置形、天井吊形又は壁掛形の空調室内機である、請求項１に記載の空調室内機。
【請求項２０】
室外機と、前記室外機に接続する空調室内機と、
を含み、
前記空調室内機は、パネルフレームとパネルとを備え、前記パネルには第１外気導入口が設けられ、前記パネルフレームには前記第１外気導入口の位置に対応する第２外気導入口が設けられた筐体と、前記筐体内に取り付けられ、その風路が前記第２外気導入口に連通する外気導入部材と、前記第２外気導入口に設けられ、前記パネルフレームと前記外気導入部材との間の隙間及び／又は前記パネルフレームと前記パネルとの間の隙間を密封するように構成されるシールアセンブリと、を含む、
空気調和機。
【発明の詳細な説明】
【技術分野】
【０００１】
本願は、「空調室内機及び空気調和機」と題し、２０１９年３月３日に出願された、中国特許出願番号第２０１９２０２６７８９７．２号の優先権を主張し、その全内容は、参考として引用により本明細書に組み込まれる。
【０００２】
本発明は、空調技術分野に関し、特に、空調室内機及び空気調和機に関する。
【背景技術】
【０００３】
生活の質に対する使用者の要求が高まるにつれて、日常的に幅広く使用されている空気調和機も益々合理化されており、多くの空調室内機に外気導入部材が用いられるようになり、外気を室内に取り入れ、密閉された室内空間に連続的に新鮮な空気を供給することで、室内空気の酸素濃度を増加させ、空調病を根絶させている。
【０００４】
しかしながら、外気導入部材とパネル部材の間に隙間（例えば、外気導入部材とパネルフレーム又はパネルとパネルフレームとの間に隙間がある）があることにより、外気導入部材の吹出口から風が漏れるため、外気導入部材の吹出風量にロスが生じ、外気導入部材の外気導入能力を低下させ、かつ風が機体内部に入ると異音を発し、また結露が発生しやすい。
【発明の概要】
【発明が解決しようとする課題】
【０００５】
本発明は、外気導入部材の吹出口からの風漏れの技術的課題を解決する空調室内機を提供することを主な目的とする。
【課題を解決するための手段】
【０００６】
上記目的を達成するため、本発明に係る空調室内機は、
パネルフレームとパネルとを含み、前記パネルには第１外気導入口が設けられ、前記パネルフレームには前記第１外気導入口の位置に対応する第２外気導入口が設けられた筐体と、
前記筐体内に取り付けられ、その風路が前記第２外気導入口に連通する外気導入部材と、
前記第２外気導入口に設けられ、前記パネルフレームと前記外気導入部材との間の隙間及び／又は前記パネルフレームと前記パネルとの間の隙間を密封するように構成されるシールアセンブリと、
を含む。
【０００７】
一実施形態では、前記第１外気導入口は、１つの開口又は複数の微細孔で構成される。
【０００８】
一実施形態では、前記シールアセンブリは、前記パネルフレームと前記外気導入部材との間に介在する第１シールリングを含む。
【０００９】
一実施形態では、前記シールアセンブリは、前記パネルフレームと前記パネルとの間に介在する第２シールリングを含む。
【００１０】
一実施形態では、前記シールアセンブリは、第１シールリングと、第２シールリングと、前記第１シールリングの一端及び前記第２シールリングの一端とを接続する第３シールリングとを含み、
前記第１シールリング、前記第２シールリング及び前記第３シールリングで囲んで開放スロットを形成し、前記パネルフレームの前記第２外気導入口に対応するエッジが前記開放スロット内に嵌め込まれ、
前記第１シールリングは、前記外気導入部材に密着し、前記第２シールリングは前記パネルに密着する。
【００１１】
一実施形態では、前記第１シールリング、第２シールリング、第３シールリングは、一体成形される。
【００１２】
一実施形態では、前記第１シールリングの前記外気導入部材に近い側に第１取付用突起が設けられ、前記外気導入部材の前記第１取付用突起に対応する位置に第１凹溝が設けられ、前記第１取付用突起は、前記第１凹溝内に嵌め込まれる。
【００１３】
一実施形態では、前記第１取付用突起は、傾斜するように設けられる。
【００１４】
一実施形態では、前記第２シールリングの前記パネルに近い側に第２取付用突起が設けられ、前記パネルの前記第２取付用突起に対応する位置に第２凹溝が設けられ、前記第２取付用突起は、前記第２凹溝内に嵌め込まれる。
【００１５】
一実施形態では、前記第２取付用突起は、傾斜するように設けられる。
【００１６】
一実施形態では、前記第２シールリングの前記パネルフレームに近い側に位置制限溝が設けられ、前記パネルフレームの前記位置制限溝に対応する位置に前記位置制限溝と嵌合する位置制限突起が設けられる。
【００１７】
一実施形態では、前記位置制限突起及び位置制限溝の断面形状は、矩形、燕尾形又はＶ字形とすることができる。
【００１８】
一実施形態では、前記第１シールリングの前記第３シールリングから離れた一端にガイド部が設けられ、前記ガイド部は前記第３シールリングから離れた方向から前記外気導入部材に向かって傾斜して配置される。
【００１９】
一実施形態では、前記外気導入部材は外気導入用ハウジングを含み、前記外気導入用ハウジングの少なくとも１つの内壁面が前記パネルフレームから前記パネル側に向かって傾斜して配置され、かつ前記内壁面と前記内壁面に対向する壁面との間の距離が前記パネルフレームから前記パネル側に向かって徐々に大きくなり、
前記第３シールリングの前記内壁面に対応する側面は、傾斜して配置され、前記側面と前記内壁面の傾斜方向が一致する。
【００２０】
一実施形態では、前記外気導入用ハウジングは、外気導入グリルを含む。
【００２１】
一実施形態では、前記外気導入部材は、外気導入用ハウジングと外気導入風路と前記外気導入用ハウジング内に設けられたインペラとを含み、前記外気導入風路と前記空調室内機の風路は互いに独立して設けられ、前記外気導入風路は吸込口と吹出口とを含み、前記吸込口が室外に連通し、前記吹出口が前記第２外気導入口に連通する。
【００２２】
一実施形態では、前記パネルは、パネル本体と、前記パネル本体と接続する外気導入吹出パネルとを含み、前記外気導入吹出パネルが前記外気導入部材に対応して設けられ、前記第１外気導入口が前記外気導入吹出パネルに設けられる。
【００２３】
一実施形態では、前記外気導入吹出パネルは、前記パネル本体と着脱可能に連結され、又は、前記外気導入吹出パネルは、回転可能に前記パネル本体に取り付けられる。
【００２４】
一実施形態では、前記空調室内機は、床置形、天井吊形又は壁掛形の空調室内機である。
【００２５】
本発明は室外機と前記室外機に接続する空調室内機とを含む空気調和機を更に提供し、前記空調室内機は、パネルフレームと前記パネルフレームに取り付けられたパネルとを備え、前記パネルには第１外気導入口が設けられ、前記パネルフレームには前記第１外気導入口の位置に対応する第２外気導入口が設けられた筐体と、前記筐体内に取り付けられ、その風路が前記第２外気導入口に連通する外気導入部材と、前記第２外気導入口に設けられ、前記パネルフレームと前記外気導入部材との間の隙間及び／又は前記パネルフレームと前記パネルとの間の隙間を密封するように構成されるシールアセンブリと、を含む。
【発明の効果】
【００２６】
本発明の空調室内機は、パネルフレームの第２外気導入口に設けられ、パネルフレームと外気導入部材との間の隙間及び／又はパネルフレームとパネルとの間の隙間を密封できるシールアセンブリにより、外気導入部材の吹出口から風を筐体内に漏らさないようにし、これにより外気導入部材の吹出風量ロスを減少させ、外気導入部材の外気導入能力を向上させると共に、風が機体内部に侵入して異音や結露が発生することを避けることができる。
【００２７】
以下、本発明の実施形態又は従来技術内の技術的手段を明確に説明するため、実施形態又は従来技術の描写中に使用する必要がある添付図面を簡単に説明する。以下に描写する添付図面は、本発明の幾つかの実施形態にすぎず、当業者にとって格別の創意工夫を要するものではないとして、それら添付図面に示す構造に基づいてその他の添付図面を得ることができる。
【図面の簡単な説明】
【００２８】
【図１】本発明の一実施形態に係る空調室内機の構造断面図である。
【図２】図１内の部位Ａの部分拡大図である。
【図３】本発明の別の実施形態に係る空調室内機の構造を示す模式図である。
【図４】図３内の部位Ｂの部分拡大図である。
【図５】本発明の更なる実施形態に係る空調室内機の構造を示す模式図である。
【図６】図５内の部位Ｃの部分拡大図である。
【図７】図１内の空調室内機のシールアセンブリの一実施形態の構造を示す模式図である。
【図８】図７内のシールアセンブリの構造断面図である。
【図９】図７内のシールアセンブリの別の構造断面図である。
【図１０】図９内の部位Ｄの部分拡大図である。
【発明を実施するための形態】
【００２９】
本発明の目的の達成、機能・特徴及び利点について、添付図面を基に実施形態を組み合わせて更なる説明を行う。
【００３０】
ここで言及すべき点は、本発明の実施形態において、用語「上」、「下」、「左」、「右」、「前」、「後」などが示した方位は、単に特定の様子（添付図面に示される通り）における各要素間の相対的な位置関係、配向についての説明を容易にするために用いられ、図面に描かれている当該特定の様子に変更があった場合、当該方位もそれに伴って変更される。
【００３１】
なお、本発明の実施形態において用語「第１」、「第２」は単に目的を描写するため使われているにすぎず、重要性を指示又は示唆する、或いは示された技術特徴の数をそれとなく明示すると理解してはいけない。よって、「第１」、「第２」と限定されている特徴は、一つ又はより多くの当該特徴を含むことを明示又は暗示するものである。更に、また、本明細書において使用されている「及び／又は」とは３つの手段を含むということを意味し、「A及び/又はB」を例にとると、Aの手段、又はBの手段、或いはAとBを共に満たす手段を含むということである。また本発明の各実施形態の間の技術的手段は、相互に結合できるものとするが、当業者が実施できることを原則とする。技術的手段の結合に互いに矛盾があった時或いは実現できない時、この種の技術的手段の結合は存在せず、本発明請求の保護範囲外とすることが認定されるべきである。
【００３２】
本発明は、空調室内機として提案される。
【００３３】
本発明の一実施形態では、図１から図４に示すように、前記空調室内機１００は、
パネルフレーム１１とパネル１２とを含み、パネル１２に第１外気導入口１２１が設けられ、パネルフレーム１１に第１外気導入口１２１の位置に対応する第２外気導入口１１１が設けられた筐体１と、
筐体１内に取り付けられ、その風路が第２外気導入口１１１に連通される外気導入部材２と、
第２外気導入口１１１に設けられ、パネルフレーム１１と外気導入部材２との間の隙間及び／又はパネルフレーム１１とパネル１２との間の隙間を密封するように構成されるシールアセンブリ３と、
を含む。
【００３４】
本実施形態では、前記空調室内機１００は床置形、天井吊形又は壁掛形の室内機等とすることができる。筐体１は、空調室内機１００のために基本的な取り付け空間及び支持構造を提供できる。前記筐体１は、風向板、筐体ベース等を更に含むことができる。パネルフレーム１１は、その中に取り付けられた部材に基本的な取り付け及び支持を提供でき、通常は枠組み構造であり、具体的な構造については市場上の設計を参照することができる。パネル１２は、空調室内機１００全体の一貫性を保つため、通常はパネルフレーム１１の前側面に取り付けられている。パネル１２は、パネルフレーム１１に着脱可能に取り付けられるか、パネルフレーム１１に移動可能に接続され得る。具体的な構造は限定されず、実際のニーズに応じて適した設計を選択できる。パネル１２に設けられた第１外気導入口１２１は、１つの開口であってもよいし、複数の微細孔から構成されていてもよい。
【００３５】
外気導入部材２は、通常は筐体１内に設けられ、風路により外気を室内に取り入れ、その後第２外気導入口１１１及び第１外気導入口１２１を順に経由して室内に導入し、密閉された室内空間に連続的で新鮮な空気を供給することで、室内空気の酸素濃度を増加させ、空調病を根絶させることができる。外気導入部材２には、通常は外気導入用ハウジング２２が設けられており、外気導入用ハウジング２２の内部に風路を形成しており、シールアセンブリ３が外気導入用ハウジング２２とパネルフレーム１１との間の隙間を密封できる。シールアセンブリ３は、シーラント、ゴムシール、シリコーンシールなどの１種類以上の組み合わせであり得る。シールアセンブリ３は、外気導入部材２、パネルフレーム１１、パネル１２から独立した構造のものであってもよい。
【００３６】
ここで、シールアセンブリ３は、第２外気導入口１１１に設けられ、シールアセンブリ３をパネルフレーム１１に取り付けることに限定されず、シールアセンブリ３の取り付け位置と第２外気導入口１１１との相対的な位置関係のみを強調し、すなわち、シールアセンブリ３はパネルフレーム１１に取り付けられることができ、第２外気導入口１１１その他の構造に取り付けられてもよい。シールアセンブリ３がパネルフレーム１１と外気導入部材２との間の隙間を密封するためだけに使用される場合、パネルフレーム１１とパネル１２との間の隙間は、接着剤、パネル１２及びパネルフレーム１１自体の構造などによって密封され得る。同様に、シールアセンブリ３がパネルフレーム１１とパネル１２との間の隙間を密封するためだけに設けられている場合、外気導入部材２とパネルフレーム１１との間の隙間は、接着剤、外気導入部材２及びパネルフレーム１１自体の構造などによって密封することができる。
【００３７】
本発明の空調室内機１００は、パネルフレーム１１の第２外気導入口１１１に設けられ、パネルフレーム１１と外気導入部材２との間の隙間及び／又はパネルフレーム１１とパネル１２との間の隙間を密封できるシールアセンブリ３により、外気導入部材２の吹出口から風を筐体１内に漏らさないようにし、従って外気導入部材２の吹出風量ロスを減少させ、外気導入部材２の外気導入能力を向上させると共に、風が機体内部に侵入して異音や結露を発生させないようにすることができる。
【００３８】
さらに、図４、図７及図８を参照すると、シールアセンブリ３は、パネルフレーム１１と外気導入部材２との間に介在する第１シールリング３１を含む。
【００３９】
本実施形態では、密封効果をより良好にするために、第１シールリング３１の形状は、第２外気導入口１１１の形状と類似していることが好ましい。例えば、第２外気導入口１１１が開口として設けられる場合、第１シールリング３１も矩形に設けられ、かつ第１シールリング３１の中空部分も矩形であり、遮蔽を最小限にし、フレッシュエアの送り出しを良くするために第２外気導入口１１１に対応して設けられる。第１シールリング３１がパネルフレーム１１と外気導入部材２との間に介在するというのは、第１シールリング３１がパネルフレーム１１の第２外気導入口１１１に近いエッジと外気導入部材２の第２外気導入口１１１に近い外壁面を介在することを意味すると理解されたい。第１シールリング３１は、パネルフレーム１１と外気導入部材２との間の隙間を密封することができるため、外気が外気導入部材２を経由して室内に入る際に、パネルフレーム１１と外気導入部材２との間の隙間から風が筐体１内部に流入することを防止でき、これにより外気導入部材２の吹出風量ロスを減少させ、外気導入部材２の外気導入能力を向上させると共に、風が機体内部に侵入して異音や結露が発生することを避けることができる。
【００４０】
さらに、シールアセンブリ３は、パネルフレーム１１とパネル１２との間に介在する第２シールリング３２を含む。
【００４１】
本実施形態では、密封効果をより良好にするために、第２シールリング３２の形状は、第２外気導入口１１１の形状と類似していることが好ましい。例えば、第２外気導入口１１１が開口として設けられる場合、第２シールリング３２も矩形に設けられ、かつ第２シールリング３２の中空部分も矩形であり、遮蔽を最小限にし、フレッシュエアの送り出しを良くするために第２外気導入口１１１に対応して設けられる。第２シールリング３２がパネルフレーム１１とパネル１２との間に介在するというのは、第２シールリング３２がパネルフレーム１１の第２外気導入口１１１に近いエッジとパネル１２の第１外気導入口１２１に近いエッジを介在することを意味すると理解されたい。第２シールリング３２は、パネルフレーム１１とパネル１２との間の隙間を密封することができるため、外気が外気導入部材２を経由して室内に入る際に、パネルフレーム１１とパネル１２との間の隙間から風が筐体１内部に流入することを防止でき、これにより外気導入部材２の吹出風量ロスを減少させ、外気導入部材２の外気導入能力を向上させると共に、風が機体内部に侵入して異音や結露が発生することを避けることができる。
【００４２】
ここで、第１シールリング３１及び第２シールリング３２は、２つの別個の部材であってもよいし、１つのシール部材により形成された２つのシールリングであってもよい。第１シールリング３１及び第２シールリング３２は、一体的に形成されたシールリングであってもよく、またはいくつかのシールストリップを接ぎ合せて構成されてもよい。
【００４３】
さらに、シールアセンブリ３は、第１シールリング３１と、第２シールリング３２と、第１シールリング３１の一端及び第２シールリング３２の一端とを接続する第３シールリング３３とを含み、
第１シールリング３１、第２シールリング３２及び第３シールリング３３で囲んで開放スロット３４を形成し、パネルフレーム１１の第２外気導入口１１１に対応するエッジが開放スロット３４内に嵌め込まれ、
第１シールリング３１は、外気導入部材２に密着し、第２シールリング３２はパネル１２に密着する。
【００４４】
本実施形態では、第１シールリング３１、第２シールリング３２及び第３シールリング３３で形成された開放スロット３４の形状は、パネルフレーム１１の第２外気導入口１１１に対応するエッジの形状とマッチすることを理解されたい。開放スロット３４の高さは、パネルフレーム１１の第２外気導入口１１１に対応するエッジの厚さと等しくてもよいし、パネルフレーム１１の第２外気導入口１１１に対応するエッジの厚さよりわずかに小さくてもよい。パネルフレーム１１の第２外気導入口１１１に対応するエッジを開放スロット３４内に嵌め込むことにより、パネルフレーム１１とパネル１２との間の隙間及び外気導入部材２とパネルフレーム１１との間の隙間を同時に密封することができ、かつ第３シールリング３３は、全体的な密封効果をより高める。シールアセンブリ３の取り付けを容易にするため、第１シールリング３１、第２シールリング３２、第３シールリング３３は、一体成形することができる。取り付け時のパネルフレーム１１の第２外気導入口１１１に対応するエッジを開放スロット３４内に嵌め込むと、パネルフレーム１１とパネル１２との間の隙間及びパネルフレーム１１と外気導入部材２との間の隙間を同時に密封できる。
【００４５】
さらに、第１シールリング３１の外気導入部材２に近い側に第１取付用突起３１１が設けられ、外気導入部材２の第１取付用突起３１１に対応する位置に第１凹溝２１が設けられ、第１取付用突起３１１は、第１凹溝２１内に嵌め込まれる。
【００４６】
本実施形態では、第１取付用突起３１１は、ただ１つの突起部、第１シールリング３１から円周方向に離隔して配置された複数の突起部、又は第１シールリング３１の周りに円周方向に延びる凸条等であり得る。第１取付用突起３１１及び第１凹溝２１の数は、１個以上であってもよく、第１シールリング３１の幅及び使用要件に応じて適した第１取付用突起３１１及び第１凹溝２１の数を設計してもよい。第１凹溝２１は、複数の離隔した凹溝又は環状凹溝に対応してもよい。第１シールリング３１に第１取付用突起３１１を設けることにより、即ち外気導入部材２とパネルフレーム１１との間に第１シールリング３１を取り付ける時、まず第１凹溝２１内に第１取付用突起３１１が取り付けられ、更に圧迫により第１シールリング３１と外気導入部材２を嵌合させ、これにより第１シールリング３１と外気導入部材２との取り付けを容易にし、かつより緊合させると共に第１シールリング３１と外気導入部材２との間のずれ及び変位を防止できる。
【００４７】
さらに、第１取付用突起３１１は傾斜して配置されている。第１取付用突起３１１の傾斜位置は、どの方向でもよい。第１取付用突起３１１が第１シールリング３１を取り囲んで配置された取り付け凸条である場合、第１取付用突起３１１の傾斜位置は、第３シールリング３３に向かっていても、又は第３シールリング３３から離れていてもよい。第１取付用突起３１１が傾斜して配置されることは、成形や製造を容易にするだけでなく、第１シールリング３１の取り付けも容易にし、特定の取り付け変形空間を提供する。
【００４８】
さらに、第２シールリング３２のパネル１２に近い側に第２取付用突起３２１が設けられ、パネル１２の第２取付用突起３２１に対応する位置に第２凹溝１２２が設けられ、第２取付用突起３２１は、第２凹溝１２２内に嵌め込まれる。
【００４９】
本実施形態では、第２取付用突起３２１は、ただ１つの突起部、第２シールリング３２から円周方向に離隔して配置された複数の突起部、又は第２シールリング３２の周りに円周方向に延びる凸条等であり得る。第２取付用突起３２１及び第２凹溝１２２の数は、１個以上であってもよく、第２シールリング３２の幅及び使用要件に応じて適した第２取付用突起３２１及び第２凹溝１２２の数を設計してもよい。第２凹溝１２２は、複数の離隔した凹溝又は環状凹溝に対応してもよい。第２シールリング３２に第２取付用突起３２１を設けることにより、パネルフレーム１１とパネル１２との間に第２シールリング３２を取り付けると、まず第２凹溝１２２内に第２取付用突起３２１が取り付けられ、更に圧迫により第２シールリング３２とパネル１２を嵌合させ、これにより第２シールリング３２と外気導入部材２との取り付けが容易になり、かつより緊合させると共に第２シールリング３２とパネル１２との間のずれ及び変位を防止できる。
【００５０】
さらに、第２取付用突起３２１は傾斜して配置されている。第２取付用突起３２１の傾斜位置は、どの方向でもよい。第２取付用突起３２１が第１シールリング３１を取り囲んで配置された取り付け凸条である場合、第２取付用突起３２１の傾斜位置は、第３シールリング３３に向かっていても、又は第３シールリング３３から離れてもいてもよい。第２取付用突起３２１が傾斜して配置されることは、成形や製造を容易にするだけでなく、第２シールリング３２の取り付けも容易にし、特定の取り付け変形空間を提供する。
【００５１】
さらに、第２シールリング３２のパネルフレーム１１に近い側に位置制限溝３２２が設けられ、パネルフレーム１１の位置制限溝３２２に対応する位置に位置制限溝３２２と嵌合する位置制限突起１１２が設けられる。
【００５２】
本実施形態では、第２シールリング３２に位置制限溝３２２を設け、パネルフレーム１１に前記位置制限溝３２２と嵌合される位置制限突起１１２を設けることにより、第２シールリング３２がパネルフレーム１１に取り付けられた時、取り付けをより安定させ、第２シールリング３２がパネルフレーム１１から外れるのを防止することができる。位置制限突起１１２及び位置制限溝３２２の断面形状は、形、燕尾形、Ｖ形などであり得、実際のニーズに応じて設計することができ、本明細書では特に限定されない。その他の実施形態では、第２シールリング３２のパネルフレーム１１に近い側に位置制限突起１１２が設けられ、パネルフレーム１１の位置制限溝３２２に対応する位置に位置制限突起１１２と嵌合される位置制限溝３２２が設けられる。同様に第２シールリング３２がパネルフレーム１１から外れるのを防ぐ効果も得られる。
【００５３】
さらに、図８及び図１０を参照すると、第１シールリング３１の第３シールリング３３から離れた一端にガイド部３１２が設けられ、ガイド部３１２は第３シールリング３３から離れた方向から外気導入部材２に向かって傾斜して配置される。
【００５４】
本実施形態では、第１シールリング３１に設けられたガイド部３１２は、第１シールリング３１の取り付けにガイド機能を提供することができ、かつガイド部３１２の傾斜設置は、第１シールリング３１を外気導入部材２とパネルフレーム１１との間の隙間内に取り付けることを容易にすることができる。
【００５５】
好ましい実施形態では、図５、図６、図９及び図１０を一緒に参照すると、外気導入部材２は外気導入用ハウジング２２を含み、外気導入用ハウジング２２の少なくとも１つの内壁面２２１がパネルフレーム１１からパネル１２側に向かって傾斜して配置され、かつ内壁面２２１とそれに対向する壁面との間の距離がパネルフレーム１１からパネル１２側に向かって徐々に大きくなり、
第３シールリング３３の前記内壁面２２１に対応する側面３３１は、傾斜して配置され、前記側面３３１と前記内壁面２２１の傾斜方向が一致する。
【００５６】
本実施形態では、外気導入用ハウジング２２は、外気導入グリルを含むことができ、外気導入グリルが防塵ろ過の機能を果たし、通常は風路の吹出口に取り付けられ、その傾斜して配置された内壁面２２１も外気導入グリルの内壁面２２１としてもよい。傾斜して配置された内壁面２２１とそれに対向する壁面との距離がパネルフレーム１１からパネル１２に向かって徐々に大きくなると、フレッシュエアが吹出口から送り出された後、前記内壁面２２１は導風の機能を果たすことができ、これによりフレッシュエアの送り出しがよりスムーズになる。前記内壁面２２１は、１つ以上であり得、実際の必要性に従って設計され得る。第３シールリング３３の前記内壁面２２１に対向する側面３３１は、傾斜して配置され、かつ前記側面が前記内壁面２２１の傾斜方向と一致しているため、第３シールリング３３の前記側面３３１がフレッシュエアの送り出しを妨げないと同時に導風の機能を果たすことができる。導風の効果及び全体の美観をより高めるため、前記側面３３１と内壁面２２１の傾斜角度は一致することが好ましい。
【００５７】
さらに、図３に示すように、外気導入部材２は、外気導入用ハウジング２２と外気導入風路（図示せず）と外気導入用ハウジング２２内に設けられたインペラ（図示せず）とを含み、外気導入風路（図示せず）と空調室内機１００の風路が互いに独立して設けられ、外気導入風路（図示せず）が吸込口（図示せず）と吹出口（図示せず）とを含み、吸込口（図示せず）が室外に連通し、吹出口（図示せず）が第２外気導入口１１１に連通する。
【００５８】
本実施形態では、外気導入用ハウジング２２は、その中に配置されるインペラ（図示せず）の基本的な設置スペースを提供すると同時に、その内部に外気導入風路（図示せず）が形成され、外気導入風路（図示せず）が通常舌部と渦巻ケーシングによって形成される。外気導入風路（図示せず）は、空調室内機１００の風路とは独立して設けられており、外気導入風路（図示せず）から取り入れるフレッシュエアは空調室内機１００中の熱交換後の風に影響を与えない。外気導入風路（図示せず）の吸込口と屋外は、風路を通じて連通して室外のフレッシュエアを外気導入風路（図示せず）に取り入れることができる。インペラ（図示せず）の作用によって室外のフレッシュエアを風路に取入れ、その後吹出口、第２外気導入口１１１、第１外気導入口１２１の順に室内に流入し、フレッシュエアの導入が完了する。インペラ（図示せず）は、遠心インペラ（図示せず）、貫流型インペラ（図示せず）又は軸流インペラ（図示せず）等であってもよく、本明細書では特に限定されない。
【００５９】
さらに、図１及び図５に示すように、前記パネル１２は、パネル本体１２３と、前記パネル本体１２３と接続する外気導入吹出パネル１２４とを含み、前記外気導入吹出パネル１２４が前記外気導入部材２に対応して設けられ、前記第１外気導入口１２１が前記外気導入吹出パネル１２４に設けられる。
【００６０】
本実施形態では、パネル１２は、パネル本体１２３と外気導入吹出パネル１２４とから構成される。パネル本体１２３は、外気導入吹出パネル１２４に接続又は接合されてパネル１２を形成してもよい。外気導入吹出パネル１２４は、パネル本体１２３に回転可能に取り付けられるか、パネル本体１２３に着脱可能に接続されるか、或いはパネル本体１２３との接続を達成するために昇降するように配置されてもよく、本明細書では特に限定されない。別個に設けられた外気導入吹出パネル１２４は、外気導入部材２の取り外し及び清掃を容易にすることができる。外気導入吹出パネル１２４に設けられた第１外気導入口１２１は、開口又は複数の微細孔で構成されてもよい。
【００６１】
本発明は、室外機と空調室内機１００とを含む空気調和機も提供する。前記空調室内機１００の具体的な構造は上記実施形態を参照し、この空気調和機は以上に述べた全ての実施形態の全技術的手段を採用するため、上記実施形態の技術的手段がもたらす全ての有利な効果を少なくとも持っているので、ここではこれ以上説明しない。
【００６２】
本発明では好ましい実施例を前述の通り開示したが、これらは決して本発明を限定するものではなく、本発明の明細書及び添付図面を利用して均等の範囲内で各種の変更や修飾、若しくは直接的又は間接的にその他の関連の技術分野に運用されることは、本発明の特許保護範囲内に含めるものであるのは勿論である。
【符号の説明】
【００６３】
１００    空調室内機
１    筐体
１１    パネルフレーム
１１１    第２外気導入口
１１２    位置制限突起
１２    パネル
１２１    第１外気導入口
１２２    第２凹溝
１２３    パネル本体
１２４    外気導入吹出パネル
２    外気導入部材
２１    第１凹溝
２２    外気導入用ハウジング
２２１    内壁面
３    シールアセンブリ
３１    第１シールリング
３１１    第１取付用突起
３１２    ガイド部
３２    第２シールリング
３２１    第２取付用突起
３２２    位置制限溝
３３    第３シールリング
３３１    側面
３４    開放スロット
【図１】
2021517626.tif 000003
【図２】
2021517626.tif 000004
【図３】
2021517626.tif 000005
【図４】
2021517626.tif 000006
【図５】
2021517626.tif 000007
【図６】
2021517626.tif 000008
【図７】
2021517626.tif 000009
【図８】
2021517626.tif 000010
【図９】
2021517626.tif 000011
【図１０】
2021517626.tif 000012
【国際調査報告】
2021517626.tif 000013
2021517626.tif 000014
2021517626.tif 000015
2021517626.tif 000016
2021517626.tif 000017
2021517626.tif 000018